(57)【要約】  装置はただ二つのカメラ（１００、１０２）を有する。第一カメラ（１００）は、ＲＧＢ画像を撮像するＲＧＢ（Ｒｅｄ−Ｇｒｅｅｎ−Ｂｌｕｅ）カメラ（１００）である。第二カメラ（１０２）は、（ｉ）第二カメラ（１０２）を使用してＲＧＢ画像または赤外線画像を選択的に撮像可能なように選択的に動作して赤外線のみを通過させる選択的動作可能な赤外線透過フィルタ（１１６）を有する、ＲＧＢ画像と赤外線画像とを撮像するＲＧＢ／赤外線カメラ（１０２）であるか、または（ｉｉ）赤外線画像を撮像する赤外線カメラであり、装置が第二カメラによって撮像された赤外線画像を処理し、第一カメラ（１００）によって撮像された画像からのＲＧＢ情報を用いて、第二カメラによって撮像された赤外線画像からＲＧＢ画像を生成するよう構成された処理装置を備えるか、のいずれかである。装置は、二つのカメラ（１００、１０２）から、ある情景の二つのＲＧＢ画像、またはある情景のＲＧＢ画像および赤外線画像、を選択的に提供可能である。
2021532640.tif 000002
【特許請求の範囲】
【請求項１】
二つだけのカメラ（１００、１０２：１００、３００）を備える装置（１０、２０）であって、
第一カメラ（１００）は、ＲＧＢ画像を撮像するＲＧＢ（Ｒｅｄ−Ｇｒｅｅｎ−Ｂｌｕｅ）カメラであり、
第二カメラ（１０２、３００）は、
（ｉ）ＲＧＢ画像と赤外線画像とを撮像するＲＧＢ／赤外線カメラ（１０２）であって、前記第二カメラ（１０２）がＲＧＢ画像または赤外線画像を選択的に撮像するために使用可能となるよう選択的に動作して赤外線のみを通過させる、選択的に動作可能な赤外線透過フィルタ（１１６）を有するカメラ、または
（ｉｉ）赤外線画像を撮像する赤外線カメラ（３００）であって、前記装置（２０）が、前記第二カメラ（３００）によって撮像された赤外線画像を処理し、前記第一カメラ（１００）によって撮像された画像からのＲＧＢ情報を用いて前記第二カメラ（３００）によって撮像された赤外線画像からＲＧＢ画像を生成する処理装置を有する、カメラであり、
前記装置（１０、２０）は、前記二つのカメラ（１００、１０２：１００、３００）から、情景の二つのＲＧＢ画像、または情景の一つのＲＧＢ画像および赤外線画像、を選択的に提供可能であることを特徴とする装置。
【請求項２】
請求項１に記載の装置（２０）であって、前記第二カメラ（３００）が前記赤外線カメラ（３００）である場合、前記赤外線カメラ（３００）は、情景の赤外線情報を撮像するための赤外線センサチップを備えることを特徴とする装置。
【請求項３】
請求項１または請求項２に記載の装置（１０、２０）であって、情景の前記二つのＲＧＢ画像、または情景の前記一つのＲＧＢ画像と前記赤外線画像とを結合して前記情景の単一の画像を生成する処理装置を備えることを特徴とする装置。
【請求項４】
請求項１から３のいずれか一項に記載の装置（１０、２０）であって、反射された赤外線放射が前記第二カメラ（１０２、３００）によって撮像可能なように情景を赤外線で照明する赤外線フラッシュ（１０３）を備えることを特徴とする装置。
【請求項５】
請求項１から４のいずれか一項に記載の装置であって、前記第一カメラ（１００）および前記第二カメラ（１０２、３００）の少なくとも一方は、情景の画像を撮像するための固定レンズアセンブリを備えることを特徴とする装置。
【請求項６】
請求項１から５のいずれか一項に記載の装置（１０）であって、前記第二カメラ（１０２）が前記ＲＧＢ／赤外線カメラ（１０２）である場合、前記選択的に動作可能な赤外線フィルタ（１１６）は、微小電気機械システム（ＭＥＭＳ）シャッタを備えることを特徴とする装置。
【請求項７】
請求項１から６のいずれか一項に記載の装置であって、前記装置（１０、２０）はモバイルユーザ装置（１０、２０）であることを特徴とする装置。
【請求項８】
二つだけのカメラ（１００、１０２：１００、３００）を有する装置（１０、２０）を用いて情景の二つの画像を生成する方法であって、
前記情景のＲＧＢ画像を前記装置（１０、２０）の第一カメラ（１００）によって撮像する工程と、
前記情景のＲＧＢ画像または赤外線画像である前記情景の第二画像を前記装置（１０、２０）の第二カメラ（１０２、３００）によって撮像する工程とを含み、
前記赤外線の第二画像は、
（ｉ）前記第二カメラ（１０２）がＲＧＢ／赤外線カメラ（１０２）である場合、前記第二カメラ（１０２）が赤外線画像のみを撮像するよう前記第二カメラ（１０２）の赤外線透過フィルタ（１１６）を選択的に動作させるか、または
（ｉｉ）前記第二カメラ（３００）が赤外線画像を撮像する赤外線カメラ（３００）である場合、前記情景の赤外線画像を撮像することによって得られ、
前記ＲＧＢの第二画像は、
（ｉ）前記第二カメラ（１０２）がＲＧＢ／赤外線カメラ（１０２）である場合、前記第二カメラ（１０２、３００）の赤外線透過フィルタ（１１６）を前記第二カメラ（１０２）がＲＧＢ画像を撮像するよう選択的に無効化するか、または
（ｉｉ）前記第二カメラ（３００）が赤外線画像を撮像する赤外線カメラである場合、前記情景の赤外線画像を撮像し、前記装置（２０）の処理装置によって、前記赤外線画像を処理し、前記第一カメラ（１００）によって撮像された画像からのＲＧＢ情報を用いて前記第二カメラ（３００）によって撮像された赤外線画像からＲＧＢ画像を生成することにより得られることを特徴とする方法。
【請求項９】
請求項８に記載の方法であって、前記第一カメラ（１００）によって撮像された前記情景の前記ＲＧＢ画像と前記第二カメラ（１０２、３００）によって撮像された前記情景の前記第二画像とを結合して前記情景の単一の画像を生成する工程を含むことを特徴とする方法。
【請求項１０】
請求項８または請求項９に記載の方法であって、反射された赤外線放射が前記装置（１０、２０）の前記第二カメラ（１０２、３００）によって撮像可能なように前記装置（１０、２０）の赤外線フラッシュ（１０３）からの赤外線により前記情景を照明する工程を含むことを特徴とする方法。
【請求項１１】
請求項８から１０のいずれか一項に記載の方法であって、前記装置（１０、２０）はモバイルユーザ装置（１０、２０）であることを特徴とする方法。
【発明の詳細な説明】
【技術分野】
【０００１】
本願開示は、ただ二つのカメラを備える装置およびこの装置を用いて二つの画像を生成する方法に関する。
【背景技術】
【０００２】
ユーザにとって、特に、例えばスマートフォンなどのコンシューマ装置を使って、複雑または技術的に高度なカメラを使う必要なく、高品質な写真を撮影することはますます望ましいものとなっている。デュアルカメラ写真撮影に対する興味が高まっている。
【０００３】
従来、単一のカメラまたはデュアルカメラを用いて撮影された写真は、ＲＧＢ（Ｒｅｄ−Ｇｒｅｅｎ−Ｂｌｕｅ）画像である。デュアルカメラの場合、双方のカメラによって撮像される情報を用いてＲＧＢ画像が生成される。写真撮影において、例えば、画像の細部の解像度を上げるため、より編集可能性を大きくするため、および何らかの特殊効果のため、赤外線（ＩＲ）情報および赤外線画像を用いることに対する興味も高まりつつある。
【発明の概要】
【０００４】
本明細書に開示される第一の側面によれば、ただ二つのカメラを有する装置であって、
第一カメラが、ＲＧＢ画像を撮像するためのＲＧＢ（Ｒｅｄ−Ｇｒｅｅｎ−Ｂｌｕｅ）カメラであり、
第二カメラは、
（ｉ）ＲＧＢ画像と赤外線画像とを撮像するＲＧＢ／赤外線カメラであって、第二カメラがＲＧＢ画像または赤外線画像を選択的に撮像するために使用可能となるよう選択的に動作して赤外線のみを通過させる、選択的に動作可能な赤外線透過フィルタを有するカメラであるか、または
（ｉｉ）赤外線画像を撮像する赤外線カメラであって、装置が、第二カメラによって撮像された赤外線画像を処理し、第一カメラによって撮像された画像からのＲＧＢ情報を用いて第二カメラによって撮像された赤外線画像からＲＧＢ画像を生成する処理装置を有する、カメラであり、
装置は、二つのカメラから、情景の二つのＲＧＢ画像、または情景の一つのＲＧＢ画像および赤外線画像を選択的に提供可能である装置が提供される。
【０００５】
一例において、第二カメラが赤外線カメラである場合、赤外線カメラは、情景の赤外線情報を撮像する赤外線センサチップを備える。
【０００６】
一例において、装置は、情景の二つのＲＧＢ画像、または情景の一つのＲＧＢ画像と赤外線画像とを結合して情景の単一の画像を生成する処理装置を備える。
【０００７】
一例において、装置は反射された赤外線放射が第二カメラによって撮像可能なように情景を赤外線で照明する赤外線フラッシュを備える。
【０００８】
一例において、第一カメラおよび第二カメラの少なくとも一方は、情景の画像を撮像するための固定レンズアセンブリを備える。
【０００９】
一例において、第二カメラがＲＧＢ／赤外線カメラである場合、選択的に動作可能な赤外線フィルタは、微小電気機械システム（ＭＥＭＳ）シャッタを備える。
【００１０】
本明細書に開示される第二の側面によれば、ただ二つのカメラを有する装置を用いて情景の二つの画像を生成する方法であって、
情景のＲＧＢ画像を装置の第一カメラによって撮像する工程と、
情景のＲＧＢ画像または赤外線画像である情景の第二画像を装置の第二カメラによって撮像する工程とを備え、
赤外線の第二画像は、
（ｉ）第二カメラがＲＧＢ／赤外線カメラである場合、第二カメラが赤外線画像のみを撮像するよう第二カメラの赤外線透過フィルタを選択的に動作させること、または
（ｉｉ）第二カメラが赤外線画像を撮像する赤外線カメラである場合、情景の赤外線画像を撮像することによって得られ、
ＲＧＢの第二画像は、
（ｉ）第二カメラがＲＧＢ／赤外線カメラである場合、第二カメラがＲＧＢ画像を撮像するよう第二カメラの赤外線透過フィルタを選択的に無効化し、または
（ｉｉ）第二カメラが赤外線画像を撮像する赤外線カメラである場合、情景の赤外線画像を撮像し、装置の処理装置によって、赤外線画像を処理し、第一カメラによって撮像された画像からのＲＧＢ情報を用いて第二カメラによって撮像された赤外線画像からＲＧＢ画像を生成することにより得られる方法が提供される。
【００１１】
一例において、方法は、第一カメラによって撮像された情景のＲＧＢ画像と第二カメラによって撮像された情景の第二画像とを結合して情景の単一の画像を生成する工程を含む。
【００１２】
一例において、方法は、反射された赤外線放射が装置の第二カメラによって撮像可能なように情景を装置の赤外線フラッシュからの赤外線で照明する工程を含む。
【００１３】
一例において、装置はモバイルユーザ装置である。
【図面の簡単な説明】
【００１４】
本願開示の理解を促進し、実施形態がどのように実施されるかを示すため、例示的に添付図面が参照される。
【００１５】
【図１】二つの画像を撮像する二つのカメラを備える例示的装置を模式的に示す。
【図２】図１の二つのカメラの例示的構造を模式的に示す。
【図３Ａ】図２の構造の使用時の例示的構成を模式的に示す。
【図３Ｂ】図２の構造の使用時の例示的構成を模式的に示す。
【図４】二つの画像を撮像する二つのカメラを備える第二の例示的装置を模式的に示す。
【図５】図４の二つのカメラの例示的構造を模式的に示す。
【図６】図５の構造の使用時の例示的構成を模式的に示す。
【発明を実施するための形態】
【００１６】
上述のように、コンシューマ装置にとってますます重要な要件となっているより高品質な写真撮影、および／または何らかの視覚的効果を可能とすることから、デュアルカメラ写真撮影および赤外線写真撮影への興味が高まりつつある。デュアルカメラシステムで二つのカメラから入力される画像情報を結合することにより、装置が単一のより解像度の高い画像を生成可能となる。例えば、ユーザ装置でポートレート写真を撮影する際、デュアルカメラ写真によれば、よりクリアな容貌を表示可能であり、あるいは光深度写真撮影（ｌｉｇｈｔ  ｄｅｐｔｈ  ｐｈｏｔｏｇｒａｐｈｙ）、深度マップ、または複数の焦点を画像中に組み合わせることが可能となる。
【００１７】
赤外線画像は、赤外線放射を用いて撮影される。赤外線画像は、例えば、視認可能な要素の解像度を上げ、人間の眼には容易に検出できない細部をあらわにすることにより、ＲＧＢ画像に比べてより精細な細部を表示可能である。
【００１８】
本明細書中で記載されるのは、ただ二つのカメラを有する装置である。第一カメラは、ＲＧＢ画像を撮像するためのＲＧＢ（Ｒｅｄ−Ｇｒｅｅｎ−Ｂｌｕｅ）カメラである。第二カメラは、以下のいずれかである。（ｉ）ＲＧＢ画像と赤外線画像とを撮像するＲＧＢ／赤外線カメラであって、第二カメラがＲＧＢ画像または赤外線画像を選択的に撮像するのに使用可能となるよう、赤外線のみを通過させるよう選択的に動作可能な、選択的動作可能な赤外線透過フィルタを有するもの、または（ｉｉ）赤外線画像を撮像する赤外線カメラであり、装置が第二カメラによって撮像された赤外線画像を処理して第一カメラによって撮像された画像からのＲＧＢ情報を用いて第二カメラによって撮像された赤外線画像からＲＧＢ画像を生成する処理装置を有するもの。この装置は、二つのカメラから、ある情景の二つのＲＧＢ画像、またはある情景の一つのＲＧＢ画像および一つの赤外線画像、を選択的に提供可能である。
【００１９】
デュアルカメラ写真撮影により、装置によって撮像される情景についてより精細な細部を得ることができる。例えば、本明細書中に記載される装置を用いると、第一カメラと第二カメラとがある情景の画像情報を撮像する角度がわずかに異なることで、当該情景のより詳細な深度情報および／またはより詳細な細部を得ることが可能となる。双方のカメラによって撮像される情報を画像処理方法により結合することで、非常に詳細な単一の画像を生成可能である。一例において、二つのカメラは、当業種で公知のぼかし写真を撮像するよう構成される。この例では、デュアルカメラ写真撮影により、例えば、当該写真中に複数の焦点を設けることが可能となる。これに代えて、またはこれに加えて、二つのカメラにより合焦した対象をより精細に撮像し、当該対象がより焦点の合っていないぼかし写真の領域よりもさらに目立って見えるようにしてもよい。このような深度情報の必要性は、例えば、二つのカメラの少なくとも一方のカメラの絞り目盛り（ｆ−ｓｔｏｐ）を変更して、合焦と非合焦領域とが明確に区別可能なぼかし画像を撮像することができない場合に重要となりうる。
【００２０】
例えば、カメラがＲＧＢ画像を撮像するよう構成される場合、カメラによってさもなければ撮像できない細部を提供することで、赤外線情報により、ある情景ないし対象の画像およびわずかな細部の検出を高度に精細化できることも公知である。赤外線画像によって提供されるより精細な細部のため、赤外線写真撮影は、例えば、同一性検出時に非常に有用である。例えば、スマートフォンのコンテンツへの個人のアクセスを許可するのに顔認識を必要とするスマートフォンは、当該個人の顔についての赤外線情報を撮像する可能性がある。デジタルカメラに用いられるセンサチップは、画像撮影の際に赤外線情報を検出可能であることが多い。
【００２１】
したがって、必要時に、ある環境のＲＧＢ画像とならんで赤外線画像を撮像できることは、装置にとって有用である。原理的に、二個のＲＧＢカメラと一個の赤外線カメラの、全部で三個のカメラを使用してこれを実現してもよい。しかし、これは、各カメラが製造コストを意味することから高価な解決策である。本明細書中に記載される例では、たった二つのカメラを用いて、必要時にデュアルカメラによるＲＧＢ写真撮影および赤外線画像を実現する装置が提供される。
【００２２】
この装置は、例えばスマートフォン、専用デジタルカメラ、タブレットコンピュータ等であってもよく、この装置の第一カメラと第二カメラとは、それぞれ情景の画像を撮像するよう構成される。一例において、画像は、同時に撮像されてもよい。得られた二つのＲＧＢ画像、または一つのＲＧＢ画像と一つの赤外線画像とは、別々の画像として使用または記憶されてもよい。これにより、別々の画像を、後で編集および／または結合可能となる。これに代えて、またはこれに加えて、デュアルカメラ写真と、場合により赤外線画像の特徴を含む情景の単一の高品質画像を生成するため、これらの画像を結合してもよい。
【００２３】
図面を参照すると、図１には、第一ＲＧＢ画像を撮像するよう構成される第一カメラ１００と、ＲＧＢ画像または赤外線画像を選択的に撮像するＲＧＢ／赤外線カメラである第二カメラ１０２とを備える例示的装置１０が示される。双方のカメラ１００、１０２の例を、以下にさらに詳述する。装置１０は、赤外線を発生させて情景または対象を照明する赤外線フラッシュ１０３を備えてもよい。
【００２４】
本例では、この装置１０はスマートフォン１０であり、第一カメラ１００と、第二カメラ１０２と、赤外線フラッシュ１０３とをその背面に備える。これに加えて、またはこれに代えて、スマートフォン１０は、双方のカメラ１００、１０２と、場合により赤外線フラッシュ１０３とを、その前面に備えてもよい。別の例では、この装置１０は、カメラ、タブレット、パーソナルコンピュータ、ラップトップコンピュータなどであってよい。各カメラ１００、１０２は、同種の、または異なる種類のレンズを有してもよい。例えば、第一カメラ１００は広角レンズを有するカメラであり、第二カメラ１０２は望遠レンズを有するカメラであってよい。
【００２５】
図２は、図１の装置１０の二つのカメラ１００、１０２の例示的構造の上視図である。第一カメラ１００は、情景のＲＧＢ画像を撮像するよう構成される。本例では、第一カメラ１００は、センサ１０４と、カメラシャッタ１０６と、レンズ構造１０８とを備える。カメラシャッタ１０６は、例えば、微小電気機械システム（ＭＥＭＳ）シャッタを備えてもよい。第一カメラ１００が写真を撮影する必要がある場合、センサ１０４には、情景のＲＧＢ情報が入力されるよう構成される。
【００２６】
カメラがＲＧＢ画像を撮像するよう構成される場合であっても、カメラセンサチップは、しばしば自動的に赤外線情報を捕捉する。このような不要な赤外線情報の存在を最小化または防止するため、第一カメラ１００は、いくつかの例では、赤外線を遮断し、これにより赤外線が第一カメラ１００のセンサ１０４に到達するのを防止する赤外線カットフィルタ（図示略）を備えてもよい。一例において、赤外線カットフィルタは固定されて、赤外線カットフィルタが常に赤外線情報を遮断してＲＧＢ情報（のみ）がカメラを通過するよう構成されてもよい。この赤外線カットフィルタは、当業種自体において公知のように、赤外線の特定の波長、または特定の波長範囲を反射および／または遮断する一方、可視光を通過可能とするよう構成されてもよい。
【００２７】
本例での第二カメラ１０２は、センサ１１０と、カメラシャッタ１１２と、レンズ構造１１４と、赤外線透過フィルタ１１６とを備えるものとして示される。本例での第二カメラ１０２は、ＲＧＢ／赤外線カメラ１０２と見なされうる。
【００２８】
第二カメラ１０２からＲＧＢ画像が必要な場合、赤外線透過フィルタ１１６は「開く」よう操作されてよく、これにより赤外線透過フィルタ１１６は一切の放射がカメラセンサ１１０に到達するのを阻害しなくなる。したがって、ＲＧＢ（および赤外線）放射は、カメラ１００を通過して撮像可能であり、第二カメラ１０２がＲＧＢ画像を選択的に撮像可能となる。
【００２９】
第二カメラから赤外線画像が必要な場合、赤外線透過フィルタ１１６は「閉じる」よう操作されてよく、これにより赤外線透過フィルタは、選択的に赤外線放射のみがセンサ１１０へと通過することを許容し、ＲＧＢ光を遮断する。これにより、第二カメラ１０２は、赤外線画像のみを選択的に撮像する。
【００３０】
ＲＧＢ（および赤外線）情報が選択的にカメラを通過可能とする「開いた」赤外線透過フィルタ１１６と、ＲＧＢ情報を選択的に遮断し、赤外線情報のみをカメラを通過可能とする「閉じた」赤外線透過フィルタ１１６との上述の定義は、本明細書を通して一貫して用いられる。
【００３１】
設けられる場合、赤外線フラッシュ１０３は、赤外線画像が第二カメラ１０２によって撮像される場合に、赤外線により撮像される情景を照明するよう動作可能である。
【００３２】
図３Ａおよび３Ｂは、情景の画像を撮像するための二つの異なる例示的配置にある図２の構造を示す。
【００３３】
図３Ａは、ＲＧＢ画像を撮像するための図２の構造の例示的構成を示す。第一カメラ１００のシャッタ１０６は開いている。この時点で、第一カメラ１００は、第一ＲＧＢ画像を撮像するよう構成される。第二カメラ１０２のシャッタ１１２も開かれ、これにより第二カメラ１０２は画像を撮像するよう構成される。本例では、第二カメラ１０２の赤外線透過フィルタ１１６は開かれ、これによりＲＧＢ（および赤外線）情報が第二カメラ１０２を通過可能となっている。したがって、本例では、第二カメラ１０２は情景の第二ＲＧＢ画像を撮像するよう構成される。
【００３４】
図３Ｂは、一つのＲＧＢ画像と一つの赤外線画像とを撮像するための図２の構造の別の例示的構成を示す。上記と同様、第一カメラ１００のシャッタ１０６は開かれ、第一カメラ１００は第一ＲＧＢ画像を撮像するよう構成される。第二カメラ１０２のシャッタ１１２も開かれ、これにより第二カメラ１０２は画像を撮像するよう構成される。しかし、赤外線透過フィルタ１１６は閉じられ、これによりＲＧＢ情報は遮断され、赤外線情報のみがカメラ１０２を通過可能となる。したがって、第二カメラ１０２のセンサ１１０には赤外線情報のみが入力され、第二カメラ１０２は赤外線画像を撮像するよう構成される。
【００３５】
図４には、第一ＲＧＢ画像を撮像するよう構成される第一カメラ１００と、赤外線画像のみを撮像する第二カメラ３００とを備える第二の例示的装置２０が示される。
【００３６】
例示的装置２０において、第一カメラ１００は、図１から３Ｂに開示される第一の例について上述したとおりである。本例では、装置２０は、その背面に第一カメラ１００と、第二カメラ３００と、赤外線フラッシュ１０３とを備えるスマートフォン２０である。これに加えて、またはこれに代えて、スマートフォン２０は、双方のカメラ１００、３００と、場合により赤外線フラッシュ１０３とを、その前面に備えてもよい。別の例では、装置２０は、カメラ、タブレット、パーソナルコンピュータ、ラップトップコンピュータなどであってもよい。場合により、装置２０は、上述のように赤外線フラッシュ１０３を備えてもよい。
【００３７】
図５は、図４の装置２０の二つのカメラ１００、３００の例示的構造の上視図である。第一カメラ１００は、上述のように、情景のＲＧＢ画像を撮像するよう構成される。第二カメラ３００は、赤外線画像を撮像するよう構成される赤外線専用カメラ３００である。第二カメラ３００は、センサ３０２と、カメラシャッタ３０４と、固定された赤外線透過フィルタ３０６と、レンズ構造３０８とを備える。カメラシャッタ３０４は、例えばＭＥＭＳシャッタを備えてもよい。固定された赤外線透過フィルタ３０６は、赤外線情報のみをセンサ３０２に通過させるように構成される。したがって、固定された赤外線フィルタ１１６により、第二カメラ３００は赤外線画像のみを撮像可能となる。上記で用いられた用語にしたがうと、赤外線透過フィルタ１１６は、常に赤外線情報に第二カメラ３００を通過可能とし、ＲＧＢ情報を阻害するよう構成されることから、固定された赤外線透過フィルタ１１６は永続的に閉じた赤外線透過フィルタ１１６であると考えられてもよい。
【００３８】
図６は情景の画像を撮像するための例示的構成にある図５の構造を示す。第一カメラ１００のシャッタ１０６は開いている。この時点で、第一カメラ１００は、第一ＲＧＢ画像を撮像するよう構成される。
【００３９】
第二カメラ３００のシャッタ３０４は開いており、第二カメラ３００は、情景の赤外線画像を撮像するよう構成される。第二カメラ３００の固定された赤外線透過フィルタ３０６は閉じられたままであり、これにより第二カメラ３００は赤外線のみがカメラ３００を通過可能とし、ＲＧＢ情報を遮断するよう構成される。
【００４０】
図６に示される例示的構成は、第一カメラ１００からの第一ＲＧＢ画像と、第一カメラ１００からのＲＧＢ画像と第二カメラ３００からの赤外線画像を用いる第二ＲＧＢ画像との二つのＲＧＢ画像を実現するのに使用可能である。特に、一例において、第一カメラ１００のＲＧＢ画像と第二カメラ３００の赤外線画像とが処理装置（図示略）に送信されてもよい。処理装置は、第一カメラ１００と第二カメラ３００とを備える装置２０に内蔵されてもよく、または処理装置は独立した実体内に存在してもよい。処理装置は、当業種で公知の画像着色方法、色復元プロセスまたは予測着色プロセスにより、第一カメラ１００によって撮像されたＲＧＢ画像からの色情報を用いて第二カメラ３００の赤外線画像を着色するよう構成されてもよい。すなわち、第一カメラ１００によって撮像されたＲＧＢ画像からのＲＧＢデータが、第二カメラ３００によって撮像された赤外線画像を第二ＲＧＢ画像に変換するプロセスで用いられる。
【００４１】
赤外線のみがセンサに向けて通過するよう固定された赤外線透過フィルタ３０６を有する第二カメラ３００に代えて、第二カメラ３００は、例えば赤外線センサチップを備えてもよい。赤外線センサチップまたは赤外線カメラ３００が、略７００ｎｍから１ｍｍの赤外線波長範囲に該当する放射線のみを受光するよう構成されてもよい。赤外線センサチップ３００は、一例では、センサチップと、赤外線放射のみを通過させるよう構成される被覆材とを備えてよい。被覆材は、一例では、赤外線放射のみを通過させるよう構成される赤外線専用（ＩＲ−ｏｎｌｙ）ガラスを備えてよい。別の例では、赤外線センサチップ３００は、全てのＲＧＢ情報を遮断し、赤外線情報に第二カメラ３００を通過させるよう構成される被覆材を備えてもよい。
【００４２】
二つのカメラ１００、１０２（１００、３００）の少なくとも一方は、画像を撮影する際に、情景の画像にオートフォーカス可能とするためのオートフォーカスアクチュエータを備えてもよい。これに代えて、またはこれに加えて、二つのカメラ１００、１０２（１００、３００）の少なくとも一方は、プリント配線基板（ＰＷＢ）／プリント回路基板（ＰＣＢ）画像センサを備えてもよい。
【００４３】
なお、本明細書中に記載される処理装置または処理システムもしくは回路は、実際には、単一のチップもしくは集積回路、または複数のチップまたは集積回路によって設けられてもよく、場合により、チップセット、特定用途向け集積回路（ＡＳＩＣ）、フィールド・プログラマブル・ゲート・アレイ（ＦＰＧＡ）、デジタル・シグナル・プロセッサ（ＤＳＰ）、画像処理装置（ＧＰＵ）などとして設けられてもよい。チップまたは複数のチップは、例示的実施形態にしたがって動作するよう構成可能な、一つ以上のデータプロセッサ、一つ以上のデジタル・シグナル・プロセッサ、ベースバンド回路および無線周波数回路の少なくとも一つを実装するための回路（ならびに場合によりファームウェア）を備えてもよい。この点、例示的実施形態は（持続性）（ｎｏｎ−ｔｒａｎｓｉｔｏｒｙ）メモリーに記憶され処理装置によって実行可能なコンピュータソフトウェア、またはハードウェア、または有形的に記憶されたソフトウェアおよびハードウェア（および有形的に記憶されたファームウェア）の組み合わせによって少なくとも部分的に実装されてもよい。
【００４４】
本明細書では、データ記憶用のデータ記憶装置が記載される。これは、単一の装置または複数の装置によって設けられてもよい。適切な装置としては、例えばハードディスクおよび非揮発性半導体メモリーが挙げられる。
【００４５】
図面を参照して本明細書に記載された実施形態の少なくともいくつかの側面は、処理システムまたは処理装置によって実行されるコンピュータプロセスを含むが、本発明は、本発明を実施可能なコンピュータプログラム、特に通信手段（ｃａｒｒｉｅｒ）上または通信手段内のコンピュータプログラムにも及ぶ。このプログラムは、持続性ソースコード、オブジェクトコード、部分的にコンパイルされた形態などのコード中間ソースおよびオブジェクトコード、またはその他任意の本発明にしたがった処理を実施するのに使用するのに適切な持続的形態であってよい。通信手段は、プログラムを搬送可能な任意の実体または装置であってよい。例えば、通信手段はソリッドステートドライブ（ＳＳＤ）などの半導体ベースのＲＡＭ、例えばＣＤ−ＲＯＭもしくは半導体ＲＯＭなどのＲＯＭ、例えばフロッピーディスクまたはハードディスクなどの磁気記録媒体、光学メモリー装置一般などの記録媒体を含んでもよい。
【００４６】
本明細書に記載される例は、本発明の実施形態の説明的事例として理解されるべきである。別の実施形態および事例も想定される。任意の一例または実施形態に関連して記載された任意の特徴は、単独で、または他の特徴と組み合わせて利用可能である。さらに、任意の一例または実施形態に関連して記載された任意の特徴は、他の例または実施形態の一つ以上の特徴と組み合わせて、または任意の他の例または実施形態と組み合わせても利用可能である。さらに、本明細書に記載されない等価物または変形も、請求項に定義される本発明の範囲内で利用可能である。
【図１】
2021532640.tif 000003
【図２】
2021532640.tif 000004
【図３Ａ】
2021532640.tif 000005
【図３Ｂ】
2021532640.tif 000006
【図４】
2021532640.tif 000007
【図５】
2021532640.tif 000008
【図６】
2021532640.tif 000009
【国際調査報告】
2021532640.tif 000010
2021532640.tif 000011
2021532640.tif 000012